(57)【要約】      （修正有）【課題】狭隘で暗い場所等において照明灯を用いて状況を探索し、小物品を保持して移動させるなど清掃および整理するための竿状の照明用具を提供する。【解決手段】伸縮自在な竿状の先端部分にＬＥＤによる照明装置６と、物品の保持金具１０を有し、保持金具の作動歯に連結し握り部分の直近まで延びる紐８を操作することによって保持金具の開閉を操作し、ＬＥＤ照明装置は手元の作動スイッチ１１によってＯＮまたはＯＦＦの操作ができる形態を特徴とする。【選択図】図１
0003199564.tif 000002
【実用新案登録請求の範囲】
【請求項１】
実施例に基づき、先端に高輝度ＬＥＤを用いた照明装置と保持金具等を有し、手元で保持金具を操作して小物品を保持できる構造の伸縮自在な形態の竿状の用具。
【考案の詳細な説明】
【技術分野】
【０００１】  本考案は、狭隘で暗い場所等において照明灯を用いて状況を探索し、小物品を保持して移動させるなど清掃および整理するための竿状の用具に関するものである。
【考案の開示】
【考案が解決しようとする課題】
【０００２】  通常、葬祭時の納骨作業に例を上げれば、石積みで石塔とした墓の場合はお墓の天板部分にある泉水桶と称する部分の積石をずらして取り除くことにより、納骨する霊安室の入口となる形態の墓が一般的であり、霊安室の内部は昼なお暗いのが通常である。【０００３】  その霊安室の入口は、天板部分に穴を開けた状態であり遺骨壺（以下骨壺）を出し入れできるのみの狭隘な開口口である。従って、霊安室の所定の場所に手で骨壺を安置するためには、納めようとする骨壺を持った手を極限まで伸ばして骨壺を霊安室に差し入れなければならず、時により骨壺を取り落としたりする不手際を生じることがある。【０００４】  しかも、顔は天板に阻まれるために霊安室へ骨壺を確実に入れることは難しく、体は天板の上で横向きの姿勢となるので、骨壺を持った手先を目視しながらの納骨作業ができないものである。【０００５】  従って、納骨作業は一旦骨壺を霊安室の適当な位置に安置したのち、暗い霊安室の室内を覗いて納骨した骨壺の位置具合を確認し、位置具合が悪ければ棒切れなどを使って安置する位置を修正して、最後に泉水桶を元に戻して納骨作業を終えることになる。【０００６】  このような墓における納骨作業は、とくに葬祭時は正装で行うことであるため、手先だけで行うこの納骨作業を簡素化し的確に作業が行える用具を必要とする。【０００７】  また、前述の納骨作業にかかわらず、日常生活において狭隘で暗い場所等で物品の移動や状況の確認作業を行う場合に、暗くて視認が出来ないような場所ではこのように先端に照明装置を擁し、軽便に作業が出来る用具を必要とする。
【課題を解決するための手段】
【０００８】  本考案は、課題を解決するため、比較的に軽量で強靭な金属をもって作製し、目的の小物品の移動や整理作業において合理的な作業ができる用具を提供する。【０００９】  すなはち、本考案の用具は比較的に軽量で強靱なステンレスまたはアルミ合金等を素材とする材料で柄の部分を構成し、柄の部分は伸縮自在で調節できる構造とする。【００１０】  さらに、柄の先端部分にはＬＥＤ灯具を使った照明灯を配し、暗い場所でも鮮明に柄の先端の位置や所在する小物品等を目視できることとする。【００１１】  なお、柄の先端部分にはＬＥＤ照明装置のほか、小物品を捕捉して保持または開放できる機能を有する保持金具を設け、連結する紐によって操作できる構造とする。
【考案の効果】
【００１２】  本考案の用具を用いれば、狭隘な場所や暗い場所での小物品の移動が的確に出来ることになり、先述の納骨作業の簡素化にも役立つことになる。【００１３】  従って先祖代々を祀る寄せ墓の場合は、とくに霊安室内における代々の骨壺の配列も大切なので、この道具を用いて具体的に正しい配列を求めるのにも役立つことになる。【００１４】  一方、物の隙間や暗い場所において物品を探したり、小物品を移動して整理整頓しその場所を清掃する際にも役立つこととなる。
【考案を実施するための最良の状態】
【００１５】  本考案の用具は、柄の部分はステンレスやアルミ合金など軽くて強靭な素材を用い、少し異径のパイプを摺動させて調節した長さでロックできる形状とする。
【００１６】  従って、柄の部分は伸縮自在な構造となり、作業に従って一定の長さに固定できるようにロック構造を擁して適宜に長さが調節できる。
【００１７】  さらに、柄の先端部分には方向自在のフレキシブルパイプにＬＥＤライトを添設して方向性を有し、例えば暗い墓の霊安室の内部を照明し、墓の内部や狭い場所で視認しながらの納骨作業や狭い場所での作業が容易にできることとする。
【００１８】  その他、ＬＥＤライトは物の隙間など狭隘で暗い場所で効果を発揮することとなる。
【００１９】  さらに、柄の先端部分には、小物品を捕捉して保持できるように保持金具を取り付け、保持金具は連結した紐によって小物品を保持したり開放できる構造とし、紐を曳くことにより小物品を保持し紐を弛めることによって保持から解放して適切な位置に小物品を移動することができる。
【００２０】  従って、小物品を保持金具に吊下げて保持したり、適切な場所で紐を弛めることで保持状態を開放して所定の位置に小物品を移動し安置できることとする。
【００２１】  この場合、ＬＥＤライトは暗い場所で目的の小物品と狭隘な内部を照明し、小物品を保持し理想の位置に移動させるために役立てることとする。
【実施例】
【００２２】  以下、本考案による実施例を図面に基づいて説明する。【００２３】  １図において本考案の柄１は、握り部分２とシャフトパイプ３・４で構成し、３と４は口径を異にしたパイプで形成し、３の内部に４が摺動して出し入れでき、柄１の長さが伸縮できる仕組みの構造とし柄１の長さが調節できる。【００２４】  さらに、シャフトパイプ３にはロック構造７を設け、ロック７を締めることにより３と４のシャフトパイプを固定して柄１の長さの伸縮させた状態を勘案して調整できる。
勿論、ロック７を緩めることによりシャフトパイプ３の内部にシャフトパイプ４を摺動させて出し入れできて柄１の長さを自在に調節できることとなる。【００２５】  本考案の柄１の先端部分には、フレキシブルパイプ５にＬＥＤ灯具からなる照明装置６を添設し、ＬＥＤ照明装置６はスイッチ１１のＯＮ・ＯＦＦで点灯または消灯することができる。【００２６】  本考案の用具のＬＥＤ照明装置６は乾電池を電源とし、シャフトパイプ３に乾電池収納スペース１２を設けて収納できる。【００２７】  また、本考案の柄１の先端部分には、小物品９を収集するために小物品９を保持できる構造の保持金具１０を設ける。【００２８】  保持金具１０は、紐８を引き寄せたり弛めたりすることで操作し、図２に示す如く紐８を引き寄せると作動歯ｂが点線ｃの軌道から動いて固定歯ａと作動歯ｂが閉じ、紐８を弛めると固定歯ａと作動歯ｂが点線ｃに動いて小物品９の保持を解徐できる構造とする。【００２９】  この場合、保持金具１０の形態は連なる紐８の操作で固定歯ａと作動歯ｂが開閉することにかかわらず、レバーやバネ等によって開閉する構造も考えられる。【００３０】  改めて説明すると、本考案の用具は使用にあたって狭隘で暗い場所の小物品９の所在を探し当てて保持し整理整頓するのに役立つもので、ＬＥＤ照明装置６を点灯して小物品９の所在を明らかにし、必要に応じて柄１の先端に添設した保持金具１０の固定歯ａと作動歯ｂの働きで小物品９を収集して保持し適切な位置に移動させることができる。
【産業上の利用可能性】
【００３１】  本考案の用具は、狭隘で暗い場所等で紛失した物品を探して確保する場合や、お墓の霊安室に納骨する際にも有効な利用価値があり、葬儀用具としても必要な用具である。【００３２】  本考案の用具は、生産上一般に市販されている素材の有効利用が可能であり、生産にあたっては特別な技術を要するものでないので、産業上の利用可能性に優れている。【００３３】  本考案の用具は、葬祭の際に用いる納骨用の道具として、通常の石塔型のお墓で行う納骨の儀式に欠かせないものとなり、従来の納骨儀式で納骨に四苦八苦していた納骨作業に利便性が生じるので、納骨作業において的確で必要な用具として利用価値は高い。【００３４】  従って、大量生産の道具として各戸に備えるものとならないまでも、必要不可欠な用具として葬祭を司る各寺院や葬祭場に常時に備え、納骨の儀式に役立てる必要もある。【００３５】  また、葬祭を行うまでもなく、我が家のお墓の霊安室の整理整頓と確認をする機会にも利用度が高い用具であるため、これら用途でも必要な道具である。従って、本考案の用具を納骨用具としての普及性も自然と昂揚する。【００３６】  以上のことから、本考案の用具は産業上十分に利用することができ、葬祭時の必需品
勿論、ロック７を緩めることによりシャフトパイプ３の内部にシャフトパイプ４を摺動させて出し入れできて柄１の長さを自在に調節できることとなる。【００２５】  本考案の柄１の先端部分には、フレキシブルパイプ５にＬＥＤ灯具からなる照明装置６を添設し、ＬＥＤ照明装置６はスイッチ１１のＯＮ・ＯＦＦで点灯または消灯することができる。【００２６】  本考案の用具のＬＥＤ照明装置６は乾電池を電源とし、シャフトパイプ３に乾電池収納スペース１２を設けて収納できる。【００２７】  また、本考案の柄１の先端部分には、小物品９を収集するために小物品９を保持できる構造の保持金具１０を設ける。【００２８】  保持金具１０は、紐８を引き寄せたり弛めたりすることで操作し、図２に示す如く紐８を引き寄せると作動歯ｂが点線ｃの軌道から動いて固定歯ａと作動歯ｂが閉じ、紐８を弛めると固定歯ａと作動歯ｂが点線ｃに動いて小物品９の保持を解徐できる構造とする。【００２９】  この場合、保持金具１０の形態は連なる紐８の操作で固定歯ａと作動歯ｂが開閉することにかかわらず、レバーやバネ等によって開閉する構造も考えられる。【００３０】  改めて説明すると、本考案の用具は使用にあたって狭隘で暗い場所の小物品９の所在を探し当てて保持し整理整頓するのに役立つもので、ＬＥＤ照明装置６を点灯して小物品９の所在を明らかにし、必要に応じて柄１の先端に添設した保持金具１０の固定歯ａと作動歯ｂの働きで小物品９を収集して保持し適切な位置に移動させることができる。
【産業上の利用可能性】
【００３１】  本考案の用具は、狭隘で暗い場所等で紛失した物品を探して確保する場合や、お墓の霊安室に納骨する際にも有効な利用価値があり、葬儀用具としても必要な用具である。【００３２】  本考案の用具は、生産上一般に市販されている素材の有効利用が可能であり、生産にあたっては特別な技術を要するものでないので、産業上の利用可能性に優れている。【００３３】  本考案の用具は、葬祭の際に用いる納骨用の道具として、通常の石塔型のお墓で行う納骨の儀式に欠かせないものとなり、従来の納骨儀式で納骨に四苦八苦していた納骨作業に利便性が生じるので、納骨作業において的確で必要な用具として利用価値は高い。【００３４】  従って、大量生産の道具として各戸に備えるものとならないまでも、必要不可欠な用具として葬祭を司る各寺院や葬祭場に常時に備え、納骨の儀式に役立てる必要もある。【００３５】  また、葬祭を行うまでもなく、我が家のお墓の霊安室の整理整頓と確認をする機会にも利用度が高い用具であるため、これら用途でも必要な道具である。従って、本考案の用具を納骨用具としての普及性も自然と昂揚する。【００３６】  以上のことから、本考案の用具は産業上十分に利用することができ、葬祭時の必需品となり得る用具であり、日常において暗く狭隘な場所における物探しや空間の整理整頓にも利用可能性のある必需品となる。
【図面の簡単な説明】
【００３７】
【図１】本考案の用具の形状と作動を説明する見取図。
【図２】本考案の用具の保持金具で小物品を保持する作動を説明する見取図。
【符号の説明】
【００３８】  １．本考案の用具の柄の部分。
２．柄の握り部分。
３．４．スライドさせて出し入れでき柄１を形成するシャフトパイプ。
５．照明装置を擁するフレキシブルパイプ。
６．ＬＥＤ灯具からなる照明装置。
７．３と４を固定させて柄の長さを固定するロック構造。
８．保持金具の作動歯ｂを操作する紐。
９．小物品。
１０．保持金具。
１１．ＬＥＤ照明装置のスイッチ。
１２．乾電池の収納スペース。
ａ．保持金具の固定歯。
ｂ．保持金具の作動歯。
ｃ．保持金具の作動歯が動く軌道を示す点線。
←  →．紐８の動く方向。
【図１】
0003199564.tif 000003
【図２】
0003199564.tif 000004
【手続補正書】
【提出日】平成27年4月13日(2015.4.13)
【手続補正１】
【補正対象書類名】実用新案登録請求の範囲
【補正対象項目名】全文
【補正方法】変更
【補正の内容】
【実用新案登録請求の範囲】
【請求項１】
伸縮自在な竿の先端部分にＬＥＤによる照明装置と物品の保持金具を有し保持金具は握り部分の直近で操作しＬＥＤ照明装置は手元の作動スイッチによってＯＮまたはＯＦＦの操作ができる形態の竿状の照明用具。
【手続補正書】
【提出日】平成27年6月15日(2015.6.15)
【手続補正１】
【補正対象書類名】実用新案登録請求の範囲
【補正対象項目名】全文
【補正方法】変更
【補正の内容】
【実用新案登録請求の範囲】
【請求項１】
伸縮自在な竿状の先端部分にＬＥＤによる照明装置と、物品の保持金具を有し、保持金具の作動歯に連結し握り部分の直近まで延びる紐を操作することによって保持金具の開閉を操作し、ＬＥＤ照明装置は手元の作動スイッチによってＯＮまたはＯＦＦの操作ができる形態の竿状の照明用具。